(57)【要約】本発明は、無線ネットワークにおける通信デバイスのための方法に関し、複数の論理チャネルについてバッファステータスレポートＢＳＲを送信することを有する、第１の期間の第１のタイムスロットで第１の送信を実行するステップと、複数の論理チャネルの少なくとも第１の部分についてスケジューリング要求ＳＲを送信することを有する、第２の期間の第２のタイムスロットで第２の送信を実行するステップとを有し、本発明は、対応する通信デバイス、コンピュータ可読ストレージ、コンピュータプログラム、およびキャリアをさらに参照する。
2020519058.tif 000002
【特許請求の範囲】
【請求項１】
無線ネットワークにおける通信デバイス（１）のための方法であって、
・  第１のタイムスロット期間の第１のタイムスロット（ＴＳ１）において、複数の論理チャネルについてバッファステータスレポート、ＢＳＲ、を送信することを有する第１の送信を実行することと、
・  第２のタイムスロット期間の第２のタイムスロット（ＴＳ２）において、前記複数の論理チャネルの少なくとも第１の部分についてスケジューリングリクエスト、ＳＲ、を送信することを有する第２の送信を実行することと、を有する方法。
【請求項２】
請求項１に記載の方法であって、前記第１の送信は、周波数バンドの第１の部分（ＦＲ１）で実行され、前記第２の送信は、前記周波数バンドの第２の部分（ＦＲ２）で実行される、方法。
【請求項３】
請求項１に記載の方法であって、さらに、
・  前記ＢＳＲを送信するための前記第１のタイムスロット期間を有するアップリンクグラントメッセージを受信することと、
・  前記ＢＳＲを送信するための前記アップリンクグラントメッセージを受信したことに応答して、必要となるスロット期間が前記アップリンクグラントメッセージに含まれるタイムスロット期間と一致する場合、前記複数の論理チャネルの優先度に基づいて前記ＢＳＲを送信することと、
・  前記ＳＲを送信するための前記アップリンクグラントメッセージを受信したことに応答して、必要となるタイムスロット期間が前記アップリンクグラントメッセージに含まれる前記タイムスロット期間と一致する場合、前記複数の論理チャネルの少なくとも一部の優先度に基づいて前記ＳＲを送信することと、を有する方法。
【請求項４】
請求項２に記載の方法であって、さらに、
・  第１の論理チャネル（ＬＣＨａ）が第２の論理チャネル（ＬＣＨｂ）よりも高い優先度を有することを判定することと、
・  前記第１のタイムスロット（ＴＳ１）において前記第２の論理チャネル（ＬＣＨｂ）のペイロードデータと共に前記第１の論理チャネル（ＬＣＨａ）のためのペイロードのバッファサイズを有する前記ＢＳＲを送信することによって、前記第１の送信を実行することと、
・  前記第２のタイムスロット（ＴＳ２）において前記第１の論理チャネル（ＬＣＨａ）のための前記ＳＲを送信することと、を有する方法。
【請求項５】
請求項１から４のいずれか一項に記載の方法であって、さらに、
・  前記第１の送信を実行した後であって、かつ、前記第２の送信を実行した後に、タイマーを開始することを有し、当該タイマーが動作している間（設定された時間の間）は、前記第１の論理チャネル（ＬＣＨａ）のための前記ＢＳＲおよび／または前記ＳＲのさらなる送信が禁止される、方法。
【請求項６】
請求項４に記載の方法であって、さらに、
・  事前に設定された回数について、前記第１の送信を実行した後であって、かつ、前記第２の送信を繰り返し実行した後に、タイマーを開始することを有し、当該タイマーが動作している間（設定された時間の間）は、前記第１の論理チャネル（ＬＣＨａ）のための前記ＢＳＲおよび／または前記ＳＲのさらなる送信が禁止される、方法。
【請求項７】
請求項２から６のいずれか一項に記載の方法であって、さらに、
・  アップリンクグラントを受信することと、
・  前記周波数バンドの前記第２の部分（ＦＲ２）における前記第１の論理チャネル（ＬＣＨａ）の前記ペイロードを、前記第２のタイムスロット期間を有するタイムスロットと共に送信すること、を有する方法。
【請求項８】
請求項１から７のいずれか一項に記載の方法であって、前記アップリンクグラントは、ＰＵＳＣＨ送信リソースを示す、方法。
【請求項９】
請求項１から８のいずれか一項に記載の方法であって、前記第２のタイムスロット期間は、前記第１のタイムスロット期間よりも短い、方法。
【請求項１０】
請求項１から９のいずれか一項に記載の方法であって、前記第２のタイムスロット期間は０．２５ミリ秒であり、前記第１のタイムスロット期間は１ミリ秒である、方法。
【請求項１１】
請求項１または２に記載の方法であって、前記第１の部分における一つまたは複数の論理チャネル（ＬＣＨａ）は、前記複数の論理チャネルの他の論理チャネル（ＬＣＨｂ）よりも高い優先度を有する、方法。
【請求項１２】
請求項１または２に記載の方法であって、前記第２の送信は、さらに、
・  前記第２のタイムスロット期間の一つまたは複数の追加のタイムスロットにおいて、前記複数の論理チャネルの前記第１の部分の一つまたは複数の論理チャネルのための一つまたは複数のＳＲを送信すること、を有する方法。
【請求項１３】
請求項１から１２のいずれか一項に記載の方法であって、さらに、
・  第２の送信が終了した後、一つまたは複数の論理チャネルのための任意のさらなるＢＳＲまたはＳＲが禁止される期間をタイマーに設定すること、を有する方法。
【請求項１４】
請求項１または２に記載の方法であって、前記無線ネットワークは、前記通信デバイスが、バンドの第１の部分における前記第１のタイムスロット期間のタイムスロットにおいて動作するとともに、前記バンドの第２の部分における前記第２のタイムスロット期間のタイムスロットにおいて動作し、前記第１の部分と前記第２の部分とが異なる、新無線、ＮＲ、ネットワークである、方法。
【請求項１５】
請求項１から１４のいずれか一項に記載の方法であって、前記無線ネットワークは、前記通信デバイスが、バンドの第１の部分において前記第１のタイムスロット期間のタイムスロットで動作するとともに、前記バンドの第２の部分において前記第２のタイムスロット期間のタイムスロットで動作し、前記第１の部分と前記第２の部分とは異なる、ロングタームエボリューション（ＬＴＥ）ネットワークである、方法。
【請求項１６】
請求項１から１５のいずれか一項に記載の方法であって、さらに、
・  無線リソース制御、ＲＲＣ、シグナリングを介して前記複数の論理チャネルの前記第１の部分における一つまたは複数の論理チャネル（ＬＣＨａ）のリストを事前構成すること、を有する方法。
【請求項１７】
無線ネットワークにおける通信デバイス（１）であって、
・  第１の期間の第１のタイムスロット（ＴＳ１）において、複数の論理チャネルについてバッファステータスレポート、ＢＳＲ、を送信することを有する第１の送信を実行するための第１のコンポーネント（７０１）と、
・  第２の期間の第２のタイムスロット（ＴＳ２）において、前記複数の論理チャネルの少なくとも第１の部分について、スケジューリング要求、ＳＲ、を送信することを有する第２の送信を実行するための第２のコンポーネント（７０２）と、を有する通信デバイス。
【請求項１８】
請求項１７に記載の通信デバイスであって、さらに、
・  第１のＢＳＲまたは第２のＢＳＲを送信するためのスロット期間を有するアップリンクグラントメッセージを受信するための第３のコンポーネント（７０３）と、
・  第４のコンポーネント（７０４）であって、
・  前記第１のＢＳＲを送信するための前記アップリンクグラントメッセージを受信したことに応答して、必要となるスロット期間が前記アップリンクグラントメッセージに含まれるスロット期間と一致する場合、一つまたは複数の論理チャネルの優先度に基づいて前記ＢＳＲを送信するように前記第１のコンポーネントに要求することと、
・  前記第２のＢＳＲを送信するための前記アップリンクグラントメッセージを受信したことに応答して、必要となるスロット期間が前記アップリンクグラントメッセージに含まれる前記スロット期間と一致する場合、前記一つまたは複数の論理チャネルの少なくとも前記第１の部分についての優先度に基づいて前記ＳＲを送信するように前記第２のコンポーネントに要求することと、を実行するように構成された第４のコンポーネント（７０４）と、を有する通信デバイス。
【請求項１９】
請求項１７に記載の通信デバイスであって、前記第２の期間は前記第１の期間よりも短い、通信デバイス。
【請求項２０】
請求項１７に記載の通信デバイスであって、前記複数の論理チャネルの前記第１の部分における前記少なくとも一つまたは複数の論理チャネルは、前記複数の論理チャネルの他の論理チャネルよりも高い優先度を有する、通信デバイス。
【請求項２１】
請求項２０に記載の通信デバイスであって、さらに、
・  前記第２の送信が終了した後に、前記一つまたは複数の論理チャネルのための任意のさらなるＢＳＲまたはＳＲの送信が禁止される期間をタイマーに設定するための第５のコンポーネント（７０５）、を有する通信デバイス。
【請求項２２】
請求項１７に記載の通信デバイスであって、前記無線ネットワークは、前記通信デバイスが、バンドの第１の部分における前記第１の期間のタイムスロットにおいて動作するとともに、前記バンドの第２の部分における前記第２の期間のタイムスロットにおいて動作し、前記第１の部分と前記第２の部分とは異なるものである、新無線ネットワークである、通信デバイス。
【請求項２３】
請求項１７に記載の通信デバイスであって、前記無線ネットワークは、前記通信デバイスが、バンドの第１の部分における前記第１の期間のタイムスロットにおいて動作するとともに、前記バンドの第２の部分における前記第２の期間のタイムスロットにおいても動作し、前記第１の部分と前記第２の部分とは異なるものである、ロングタームエボリューション（ＬＴＥ）ネットワークである、通信デバイス。
【請求項２４】
請求項１７に記載の通信デバイスであって、さらに、
・  無線リソース制御、ＲＲＣ、シグナリングを介して前記複数の論理チャネルの前記第１の部分における一つまたは複数の論理チャネル（ＬＣＨａ）のリストを事前構成するための第６のコンポーネント（７０６）を有する、通信デバイス。
【請求項２５】
無線ネットワークにおいて動作可能な通信デバイス（１）であって、
・  データおよび命令を記憶するように適合した記憶装置と、
・  請求項１から１６のいずれか一項に記載の方法を実行するように適合したプロセッシングシステムと、
・  前記無線ネットワークにおける他のエンティティとデータを通信するように適合したネットワークインターフェースと、
・  少なくとも前記記憶装置、前記プロセッシングシステム、および前記ネットワークインターフェースの間の通信を容易にするように適合した通信媒体と、を有する通信デバイス。
【請求項２６】
コンピュータ可読ストレージであって、コンピューティングデバイスによって実行されると、前記コンピューティングデバイスに請求項１から１６のいずれか一項に記載の方法を実行させる、コンピュータ実行可能命令を格納したコンピュータ可読ストレージ。
【請求項２７】
請求項１から１６のいずれか一項に記載の方法を実行するように適合した通信デバイス（１）。
【請求項２８】
少なくとも一つのプロセッサ上で実行されると、前記少なくとも一つのプロセッサに請求項１から１６のいずれか一項に記載の方法を実行させる命令を有する、コンピュータプログラム。
【請求項２９】
請求項２８に記載のコンピュータプログラムを有するキャリアであって、電気信号、光信号、無線信号、またはコンピュータ可読記憶媒体のうちの一つである、キャリア。
【発明の詳細な説明】
【技術分野】
【０００１】
本開示は、通信ネットワークに関し、特に、無線ネットワークにおいてバッファステータスレポートおよびスケジューリング要求を送信するための方法に関する。
【背景技術】
【０００２】
３ＧＰＰ（３ｒｄ  Ｇｅｎｅｒａｔｉｏｎ  Ｐａｒｔｎｅｒｓｈｉｐ  Ｐｒｏｊｅｃｔ）  ＴＳ  ３６．３２１は、バッファステータスレポート（バッファ状態報告）のためのフレームワークを指定する。バッファステータスレポートは、ユーザ機器（ＵＥ）が、送信のためにそのバッファに格納されたデータの量をｅＮＢにレポートするために使用される。ｅＮＢは、これらのレポートを使用して、ＵＥにリソースを割り当て、異なるＵＥ間のリソース割り当てに優先度を付ける。
【０００３】
ＵＥは、アップリンク（ＵＬ）データが送信のために利用可能になり、データが、バッファ内に既に存在するデータの優先度よりも高い優先度を有する論理チャネルグループ（ＬＣＧ）  （または無線ベアラグループ）に属する場合、またはＵＥバッファが、この新しいデータが送信のために利用可能になる直前に空であった場合、レギュラーＢＳＲをトリガする。ＵＬグラントが利用可能でない場合、ＳＲ送信がトリガされる。
【０００４】
ＳＲは、ランダムアクセスチャネル（ＲＡＣＨ）、すなわち、ランダムアクセススケジューリング要求（ＲＡ−ＳＲ）、または物理アップリンク制御チャネル（ＰＵＣＣＨ）、すなわち、専用スケジューリング要求（Ｄ−ＳＲ）上の専用リソースのいずれかで送信される。Ｄ−ＳＲは、典型的には、ＵＥアップリンクが時間同期されるときに使用される。その目的は、ＵＥがアップリンクデータ送信のためのリソースを迅速に要求することを可能にすることである。３ＧＰＰでは、スケジューリング要求のための専用の解決策が合意されている。専用アプローチの場合、各アクティブユーザには、スケジューリング要求を実行するための専用チャネルが割り当てられる。この方法の利点は、ＵＥが使用チャネルによって識別されるので、ＵＥ  ＩＤを明示的に送信する必要がないことである。さらに、コンテンションベースのアプローチとは対照的に、セル内衝突は発生しない。
【０００５】
Ｄ−ＳＲは、ＵＥが物理ダウンリンク制御チャネル（ＰＤＣＣＨ）上でＵＬグラントを受信するまで、ＰＵＣＣＨ上で連続するＳＲ機会上で繰り返し送信される。少なくとも、ＵＥがＰＤＣＣＨ上でＵＬグラントを受信していなくても、ＰＵＣＣＨリソースが解放され、および／またはＵＬ同期が失われたときに、送信が停止される。端末は、Ｄ−ＳＲの送信を停止した後、ＲＡ−ＳＲを送信する（すなわち、ＲＡＣＨを介してシステムにアクセスする）。
【０００６】
ＲＡ−ＳＲは、ＵＥがＵＬ同期を失ったとき、またはＵＥがＤ−ＳＲリソースを有していない場合に使用される。
【０００７】
バッファステータスレポート（ＢＳＲ）については、ショート（短い）ＢＳＲレポートとロング（長い）ＢＳＲレポートがある。長いＢＳＲレポートの場合、４つの論理チャネルグループ（ＬＣＧ）のバッファ状態は、一つの媒体アクセス制御（ＭＡＣ）制御要素（ＣＥ）に統合されてもよい。短いＢＳＲの場合、選択された物理チャネルが長いＢＳＲのために十分な容量を提供できないとき、または短いＢＳＲが十分である（たとえば、一つのＬＣＧのみが送信のためのデータを有する）ときに使用される。ＢＳＲを報告するよう、ｅＮＢをトリガするための様々な条件が存在する。一例では、ＢＳＲレポートは、データが新しい論理チャネルのために利用可能になったときにトリガされてもよい。別の例では、事前設定されたタイマーの満了時に周期的にトリガすることができる。さらに、ＢＳＲはまた、ＭＡＣ  ＰＤＵにおいて利用可能な十分な容量が依然として存在する場合にレポートされてもよく、この場合、それはパディングＢＳＲと呼ばれる。ＬｏｇｉｃａｌＣｈａｎｎｅｌＳＲ−ＰｒｏｈｉｂｉｔＴｉｍｅｒ（論理チャネルＳＲ禁止タイマー）が上位レイヤによって設定されている論理チャネルで送信されることになるデータが利用可能になることによって、ＢＳＲがトリガされる場合、タイマーが満了するまでの期間内におけるＳＲの送信を禁止するための、論理チャネルＳＲ禁止タイマーがスタートまたはリスタートされる。ＬｏｇｉｃａｌＣｈａｎｎｅｌＳＲ−ＰｒｏｈｉｂｉｔＴｉｍｅｒが計時中である間は、ＵＥは、ＳＲを送信することが禁止され、これは、この論理チャネルについてのＢＳＲがそれ以上送信されることが禁止されることを意味する。
【０００８】
３ＧＰＰの議論において、ＰＤＵセッションは、ＵＥとコアネットワークとの間で確立される。端末は、コアネットワークと無線ネットワークとの間にユーザプレーントンネルが確立される多数のＰＤＵセッションを有することができる。各ＰＤＵセッションは、いくつかのＰＤＵフローを有することができる。パケットは、フィルタ、たとえばＴＦＴ（５タプル）に従って「フロー」にグループ分けされる。各フローは、「フローＩＤ」を関連付けられる。この「フローＩＤ」は、コアネットワークから無線アクセスネットワークへのＰＤＵセッション当たりのユーザプレーントンネルで受信されるパケットヘッダーに含まれることが予想され、これは、ニューレディオ（新無線）、ＮＲ、と呼ぶことができる。
【０００９】
次いで、フローは、無線アクセスネットワーク内のデータ無線ベアラにマッピングされる。無線アクセスネットワークは、フローをデータ無線ベアラにマッピングする決定を担当する。複数のフローは、同一のデータ無線ベアラにマッピングされてもよい。また、異なるＰＤＵセッションからのフローは、同一のデータ無線ベアラにマッピングされてもよい。
【００１０】
どのフローがどのデータ無線ベアラに属するかをＵＥに指示する必要がある。このインジケーションは、ＵＥへの制御シグナリングを使用して、ダウンリンク送信において、無線アクセスネットワークによって、それぞれのユーザデータパケットに、フローＩＤおよび場合によってはＰＤＵセッションＩＤ（またはユーザデータトンネルＩＤ）をマークすることによって行われ得る。同様に、ＵＥは、アップリンク送信においてユーザデータパケットに印を付ける必要があり、その結果、無線アクセスネットワークは、パケットをコアネットワークに向かう正しいフローおよびＰＤＵセッションにマッピングすることができる。ＰＤＵセッションＩＤおよびフローＩＤの一意性に応じて、ＩＤの値がとりうる範囲は変化する。
【００１１】
複数のサービスサポート：
【００１２】
ＵＥのフローは、レイヤ２の論理チャネルにマッピングされ、各論理チャネルに優先度（すなわち、論理チャネル優先度、ＬＣＰ）が割り当てられている。次に、ＭＡＣスケジューラは、論理チャネルのＬＣＰの降順に従って論理チャネルの送信をスケジュールする。ユーザエクスペリエンスを最適化するために、差別化された遅延要件を満たすよう、好ましいヌメロロジー／スロット期間で論理チャンネルをさらに構成することができることが合意された。
【発明の概要】
【００１３】
ＵＥが異なる優先度の複数の論理チャネルを有する場合、論理チャネル優先度のみがＢＳＲレポート構築において考慮され、すなわち、最も高い優先度を有する論理チャネルグループのバッファ状態は、ＢＳＲレポートに含まれるべきである、より高い優先度を有する。それは、異なる論理チャネルの要求されるスロット期間／ヌメロロジーの差異を考慮しない。たとえば、長いスロットを使用する論理チャネルのための以前のＳＲ／ＢＳＲ送信のために、論理チャネルのための短いスロットを使用するＳＲ／ＢＳＲ送信を禁止することは、論理チャネルの遅延増加（または遅延バジェットを超えることによるパケット廃棄）をもたらす可能性がある。
【００１４】
本開示の目的は、上述した問題の少なくとも一つを解決または軽減することである。
【００１５】
本発明の一実施形態によれば、無線ネットワークにおける通信デバイスのための方法が提供され、この方法は、第１の期間の第１のタイムスロットにおいて、一つまたは複数の論理チャネルについて第１のバッファステータスレポートＢＳＲまたは第１のスケジューリング要求ＳＲを送信することを有する第１の送信を実行するステップと、第２の期間の第２のタイムスロットにおいて、一つまたは複数の論理チャネルの少なくとも第１の部分について第２のＢＳＲまたは第２のＳＲを送信することを有する第２の送信を実行するステップとを有する。
【００１６】
本発明の別の実施形態によれば、無線ネットワークにおいて、第１の期間の第１のタイムスロットにおいて第１の送信を実行するための第１のコンポーネントであって、一つまたは複数の論理チャネルについて第１のバッファステータスレポートＢＳＲまたは第１のスケジューリングレポートＳＲを送信することを有する第１の送信を実行するための第１のコンポーネントと、第２の期間の第２のタイムスロットにおいて、一つまたは複数の論理チャネルの少なくとも第１の部分について第２のＢＳＲまたは第２のＳＲを送信することを有する第２の送信を実行するための第２のコンポーネントと、を有する、通信デバイスが提供される。
【００１７】
本発明の別の実施形態によれば、データおよび命令を記憶するように適合された記憶装置と、実施形態の方法を実行するように適合されたプロセッシングシステムと、無線ネットワーク内の他のエンティティとデータを通信するように適合されたネットワークインターフェースと、少なくとも記憶装置、プロセッシングシステム、およびネットワークインターフェースの間の通信を容易にするように適合された通信媒体とを有する、無線ネットワーク内の通信デバイスが提供される。
【００１８】
本発明の別の実施形態によれば、コンピューティングデバイスによって実行されると、コンピューティングデバイスに実施形態の方法を実施させる、コンピュータ実行可能命令を格納する一つまたは複数のコンピュータ可読ストレージが提供される。
【００１９】
本発明の別の実施形態によれば、実施形態の方法を実行するように適合されたデバイスが提供される。
【００２０】
本発明の別の実施形態によれば、少なくとも一つのプロセッサ上で実行されると、少なくとも一つのプロセッサに実施形態による方法を実行させる命令を有するコンピュータプログラムが提供される。
【００２１】
このようにして、全体として、本開示の実施形態は、事前設定された条件が満たされたときに、以前のＢＳＲ／ＳＲ送信に起因するいくつかの高優先度および遅延に敏感な論理チャネルのためのＢＳＲ／ＳＲ送信を禁止しないことを提案する。言い換えると、タイマーの動作中にＢＳＲ／ＳＲ送信を禁止する、ｌｏｇｉｃａｌＣｈａｎｎｅｌＳＲ−ＰｒｏｈｉｂｉｔＴｉｍｅｒなどのタイマーを開始／再開するための条件が変更され、その結果、ＵＥなどの通信デバイスは、禁止タイマーが起動される前に、同じまたはサブセットの論理チャネルに対して１回より多くＢＳＲ／ＳＲを送信することが許可される。シナリオによって、ＵＲＬＬＣのためのＳＲ／ＢＳＲ送信ダイバーシチ利得が向上し、ＵＲＬＬＣのためのＢＳＲ／ＢＳＲ送信のカバレッジが増加する。
【図面の簡単な説明】
【００２２】
本発明の例示的な特徴は、添付の特許請求の範囲に記載されている。しかしながら、本発明、その実施形態、他の目的、特徴、および利点は、添付の図面を参照して、例示的な実施形態に関する以下の詳細な説明を読むことによって、より良く理解されるであろう。
【図１】は、無線ネットワーク内のネットワーキング環境を概略的に示す。
【図２】は、無線ネットワークにおける通信デバイスのためのアップリンク送信手順を概略的に示す。
【図３】は、本発明の一つまたは複数の実施形態による通信デバイスのための方法のフローチャートを概略的に示す。
【図４】は、本発明の一つまたは複数の実施形態による複数のＢＳＲ／ＳＲ送信のための例示的な時間および周波数配置を概略的に示す。
【図５】は、本発明の一つまたは複数の実施形態による、複数ＢＳＲ／ＳＲ送信の別の例示的な時間および周波数配置を概略的に示す。
【図６】は、本発明の一つまたは複数の実施形態による、複数のＢＳＲ／ＳＲ送信の別の例示的な時間および周波数配置を概略的に示す。
【図７】は、本発明の一つまたは複数の実施形態による通信デバイスのための方法のフローチャートを概略的に示す。
【図８】は、本発明の実施形態に係る通信デバイスの例示的な物理的コンポーネントのブロック図を概略的に示す。
【発明を実施するための形態】
【００２３】
以下、実施形態が描画されている添付図面を参照して、本発明の実施形態を詳細に説明する。しかしながら、本明細書のこれらの実施形態は、多くの異なる形態で具現化されてもよく、本明細書に記載の実施形態に限定されるものとして解釈されるべきではない。図面の要素は、互いに対して必ずしも一定の縮尺ではない。同じ参照符号は全体を通して同じ要素を指す。
【００２４】
本明細書で使用される用語は、特定の実施形態を説明するためだけのものであり、限定することを意図しない。本明細書で使用されるように、単数形「ａ」、「ａｎ」および「ｔｈｅ」は、文脈が別段の明確な指示をしない限り、複数形も有することを意図する。さらに、本明細書で使用される場合、「有する」、「有する」、および／または「有する」という用語は、述べられた特徴、整数、ステップ、操作、要素、および／またはコンポーネントの存在を指定するが、一つまたは複数の他の特徴、整数、ステップ、操作、要素、コンポーネント、および／またはそれらのグループの存在または追加を排除しないことが理解されるであろう。
【００２５】
別段の定義がない限り、本明細書で使用されるすべての用語（技術用語および科学用語を有する）は、一般に理解されているのと同じ意味を有する。さらに、本明細書で使用される用語は、本明細書および関連技術の文脈における意味と一致する意味を有すると解釈されるべきであり、本明細書で明示的にそのように定義されない限り、理想化された、または過度に形式的な意味で解釈されないことが理解されよう。
【００２６】
本公開は、本実施形態に係る方法、ノード、装置及び／又はコンピュータプログラムプロダクトのブロック図及び／又はフローチャートを参照して以下に説明される。ブロック図および／またはフローチャートのブロック、ならびにブロック図および／またはフローチャートのブロックの組み合わせは、コンピュータプログラム命令によって実装され得ることを理解されたい。これらのコンピュータプログラム命令は、汎用コンピュータ、特定用途コンピュータ、および／または他のプログラマブルデータ処理装置のプロセッサ、コントローラ、または制御部に提供されて、コンピュータおよび／または他のプログラマブルデータ処理装置のプロセッサを介して実行される命令が、ブロック図および／またはフローチャートブロックで指定された機能／動作を実装するための手段を作成するように、マシンを生成することができる。
【００２７】
したがって、本技術は、ハードウェアおよび／またはソフトウェア（ファームウェア、常駐ソフトウェア、マイクロコードなどを有する）で具現化されてもよい。さらに、本テクノロジは、命令実行システムによって、またはそれとコネクションで使用するために、媒体内に具現化されたコンピュータ利用可能またはコンピュータ可読プログラムコードを有する、コンピュータ利用可能またはコンピュータ可読記憶媒体上のコンピュータプログラムプロダクトの形成をとることができる。本明細書の文脈では、コンピュータ利用可能またはコンピュータ可読媒体は、命令実行システム、機器、または装置によって、またはそれらとコネクションで使用するためのプログラムを有し、記憶し、通信し、伝播し、または移送することができる任意の媒体とすることができる。
【００２８】
図１は、無線ネットワークにおけるネットワーキング環境を概略的に示す。一般性を失うことなく、図１には３つの基地局（ＢＳ）、すなわち基地局１１０、１２０、および１３０があると仮定する。それぞれの基地局は、無線通信システムの一つまたはいくつかのセルにサービスを提供するか、またはそれらをカバーすることができる。すなわち、基地局は、セル（一つまたは複数）において無線カバレッジを提供し、エアインターフェースを介してユーザ機器と通信し、ＵＥは、その範囲内の無線周波数バンドで動作する。図１に示すように、基地局１１０は、たとえば、２つのＵＥ、すなわち、そのセル内のＵＥ  １およびＵＥ  ２にサービスを提供している。
【００２９】
いくつかの無線通信システムにおけるＢＳは、使用されるテクノロジおよび用語に応じて、たとえばセルラ通信システムにおいて、「ｅＮＢ」、「ｅＮｏｄｅＢ」、「ＮｏｄｅＢ」、「Ｂノード」、または「ｇＮＢ」と呼ばれることもある。本開示では、送信機は基地局（ＢＳ）とも呼ばれる。送信機は、たとえば、送信電力に基づいて、それによってセルサイズに基づいて、マクロｅノードＢ、ホームｅノードＢ、またはピコ基地局、または異種または同種の無線ネットワークにおける中継ノードのような、様々なクラスのものであってもよい。
【００３０】
本発明では、ＵＥは、移動端末としても知られている通信デバイス、および／または、セルラ無線システムとしても呼ばれることがある無線通信ネットワーク内の送信機と無線で通信することが可能な無線端末であってもよい。たとえば、通信デバイスは、携帯電話、スマートフォン、センサデバイス、メータ、車両、家庭用電化製品、医療機器、メディアプレーヤ、カメラ、または、たとえば、テレビ、無線、照明装置、タブレットコンピュータ、ラップトップ、またはパーソナルコンピュータ（ＰＣ）などの任意の種類の家庭用電子機器であってもよいが、これらに限定されない。通信デバイスは、無線コネクションを介してボイスおよび／またはデータを通信することが可能な、携帯型、ポケット格納型、ハンドヘルド型、コンピュータ搭載型、または車両搭載型の移動装置であってもよい。
【００３１】
図２は、無線ネットワーク内の通信デバイスに関するアップリンク送信手順を概略的に示す。一例として、アップリンク送信手順は、図１のＵＥ１および基地局ＢＳ  １１０について示されている。ＵＥ１は、ある周波数バンドにおいてＢＳ  １１０へのアップリンク送信を実行していると仮定する。送信されるアップリンクデータがある場合、ＵＥ  １は、スケジューリング要求（ＳＲ）を開始し、スケジューリング要求は、ランダムアクセスチャネル（ＲＡＣＨ）上で、または物理アップリンク制御チャネル上の専用リソース上で送信される。一例として、ＳＲは、１ビット長のみであり、ＵＥ  １からＢＳ  １１０に送信されるアップリンクデータが存在するか否かを示すことができる。別の例では、ＳＲは、バッファ内で送信されるべき特定の論理チャネルのためのアップリンクデータがあるかどうかを示すことができる。たとえば、特定のアプリケーションシナリオでは、特定の論理チャネルは、たとえば緊急呼に使用されるような、高い優先度を有する論理チャネルであり得る。
【００３２】
ＳＲを受信すると、ＢＳ  １１０は、ＢＳ  １１０において採用される特定のスケジューリングおよびリソース割り当てメカニズムに基づいて、通信デバイスのためのアップリンク送信リソースを割り当てるアップリンクグラントシグナリングを送信するかどうかを決定する。次いで、ＵＥ  １は、ＢＳ  １１０にバッファステータスレポート（ＢＳＲ）を送信して、アップリンク送信されるべき一つまたは複数の論理チャネルに関する一つまたは複数のペイロードサイズをレポートすることができる。このＢＳＲレポートメカニズムは、様々な方法で実施することができる。たとえば、ＢＳＲは、一つまたは複数の論理チャネルをその中に有する一つの論理チャネルグループ（ＬＣＧ）のみを有する短いＢＳＲであってもよい。別の例では、ＢＳＳは、２つ以上のＬＣＧを有する長いＢＳＲであり得る。ＢＳＲ内の２つ以上のＬＣＧにおける各ＬＣＧに関連するバッファ・サイズ・フィールドもあり、これはＵＥ  １のバッファ内の各ＬＣＧのペイロードのサイズを示す。さらに別の例では、ＢＳＲは、特定の論理チャネルのためのペイロードのバッファサイズを示すことができ、これは、いくつかの高優先度サービスに向けられてもよい。アプリケーションシナリオおよび特有のシステム設計要件に応じて、様々なＢＳＲ送信メカニズムまたはアルゴリズムが実装され得ることに留意されたい。
【００３３】
ＢＳＲを受信すると、ＢＳ  １１０は、アップリンク送信リソースを割り当てるアップリンクグラントシグナリングを送信すべきかどうかを決定する。ＵＥ  １は、論理チャネルに関連するサービスまたはトラフィックフローの優先度に従って、一つまたは複数の論理チャネルのためのアップリンク送信を実行する。これは、アップリンク・スケジューリングと呼ばれることがある。
【００３４】
本開示では、ワイヤレス無線ネットワークは、新無線ネットワークとすることができ、アップリンク送信のための異なるタイムスロット構成が存在することができ、たとえば、一つのタイムスロット構成は、第１の期間の第１のタイムスロットに関連し、他のスロット構成は、第２の期間の第２のタイムスロットに関連する。たとえば、第１の期間の第１のタイムスロットの構成はバンドの第１の部分に適用可能であり、第２の期間の第２のタイムスロットの構成はバンドの第２の部分に適用可能である。
【００３５】
一実施形態では、ワイヤレス無線ネットワークは、異なる／可変送信時間間隔（ＴＴＩ）構成を有する３ＧＰＰにおけるロングタームエボリューション（ＬＥＴ）ネットワークであり得る。バンドの２つの部分は、２つの別個のキャリアにそれぞれ配置されてもよく、本開示に記載された方法は、このようなシナリオに依然として適用可能であることに留意されたい。遅延に敏感なトラフィックフローまたはサービスには短いタイムスロットが望ましいため、好ましくは、第２の期間の第２のタイムスロットは第１の期間の第１のタイムスロットよりも短くてもよい。
【００３６】
本発明の一つまたは複数の実施形態では、一つまたは複数の論理チャネルのＳＲおよび／またはＢＳＲ送信は、物理層（ＰＨＹ）におけるタイムスロット構成と、異なる論理チャネルの優先度との両方を考慮に入れて、より効率的かつ信頼性の高いアップリンク送信ストラテジーを実施することができる。たとえば、ＵＥが、タイムスロット構成（たとえば、第１の期間の第１のタイムスロットまたは第２の期間の第２のタイムスロット）を搬送するアップリンクグラントを受信するとき、論理チャネルのタイムスロット構成が、アップリンクグラントで示されるまたは搬送されるものと一致しない場合、論理チャネルに関連するＢＳＲは、アップリンクグラントによって示されるアップリンク送信リソースで送信されない。
【００３７】
別の例では、論理チャネルに関連する遅延敏感サービスは、第２のタイムスロット構成を必要とすることがあり、一方、現在のアップリンク送信リソースは、第１のタイムスロット送信を必要とする。このような場合、遅延に敏感なサービスの優先度は他の論理チャネルよりも高いかもしれないが、それでも、タイムスロット構成が一致しないために送信されない。
【００３８】
図３は、本発明の一つまたは複数の実施形態による通信デバイスのための方法のフローチャートを概略的に示す。以下の説明も図１が参照される。ステップ３０２から開始して、一つまたは複数のターゲット論理チャネルが、無線リソース制御（ＲＲＣ）シグナリングなどによって、通信デバイス、たとえば、ＵＥ  （たとえば、ＵＥ１）内で事前設定される。
【００３９】
次にフローチャートはフォーク（分岐）する。一つのフォークでは、ステップ３０４で、通信デバイスは、一つまたは複数の論理チャネルのためのＵＬグラントメッセージが検出されたかどうかを判定する。一つまたは複数の論理チャネルに関するＵＬグラントメッセージが検出された場合（「Ｙｅｓ」分岐）、ブロック３０６で、通信デバイスは、ＵＬグラントメッセージに示されたスロット期間が、第１のＢＳＲによって必要とされるものと一致するかどうかを判定する。「Ｙｅｓ」の場合、ブロック３０８において、通信デバイスは、第１の期間の第１のタイムスロット、たとえば、１ミリ秒（ｍｓ）の期間を有するタイムスロットで第１のＢＳＲを送信する。非限定的な一例では、第１のＢＳＲは、４つの論理チャネルのそれぞれのＢＳＲを多重化してなるロングＢＳＲである。別の非限定的な例では、ＢＳＲは、ただ一つの論理チャネルのための短いＢＳＲである。一般に、ＢＳＲの送信は、それぞれの優先度に基づく。
【００４０】
ブロック３０２から出てくる別のフォークでは、ＳＲが送信されようとしているので、一般にＵＬグラントメッセージは必要とされず、一般にスロット一致は判定されるべきではない。ブロック３１０では、通信デバイスは、第１の期間の第１のタイムスロットにおいて第１のＳＲを直接送信する。ここまでで、第１の送信段階が終了する。
【００４１】
次に、フォークは次の段階に合流し、次の段階のフローチャートもまたフォーク（分岐）している。一つのフォークでは、ステップ３１２において、通信デバイスは、一つまたは複数の論理チャネルの少なくとも一部のためのＵＬグラントメッセージが検出されたかどうかを判断する。一つまたは複数の論理チャネルの前記少なくとも一部は、一つまたは複数の論理チャネルのすべてとすることができ、または一つまたは複数の論理チャネルのサブセット（一部）、たとえば、より高い優先度を有する選択された一つまたは複数の論理チャネルとすることができる。より高い優先度を有する一つまたは複数の論理チャネルにおけるＵＬグラントメッセージが検出された場合（「Ｙｅｓ」分岐）、ブロック３１４において、通信デバイスは、ＵＬグラントメッセージに示されるスロット期間が第２のＢＳＲによって要求されるものと一致するかどうかを判定する。「Ｙｅｓ」の場合、ブロック３１６において、通信デバイスは、第２の期間の第２のタイムスロット、たとえば、０．２５ｍｓの期間のタイムスロットで第２のＢＳＲを送信する。一つの非限定的な例では、第２のＢＳＲはまた、ブロック３０８で送信されたものの４つの論理チャネルのそれぞれのＢＳＲのすべてを多重化する長いＢＳＲである。別の非限定的な例では、第２のＢＳＲは、ただ一つの論理チャネルのための短いＢＳＲである。再び、ＢＳＲの送信は、それぞれの優先度に基づく。
【００４２】
別のフォークでは、再び、ＳＲが送信されようとしているので、一般に、ＵＬグラントメッセージは必要とされず、一般に、スロット一致は判定されるべきでない。ブロック３１８において、通信デバイスは、第２の期間（たとえば、０．２５ｍｓ）の第２のタイムスロットにおいて第２のＳＲを直接送信する。ここまでで、第２の送信段階が終了する。
【００４３】
一実施形態では、期間は、上記の例とは異なることがあり、例として、第１のタイムスロットは、０．２５ｍｓの期間を有することがあり、第２のタイムスロットは、１ｍｓの期間を有することがある。
【００４４】
また、ＳＲは、単に単一ビットであってもよいが、その送信リソースによって、関連する一つまたは複数の論理チャネルを示すことができることに留意されたい。代替として、ＳＲは、複数のビットを有することができ、関連する一つまたは複数の論理チャネルをそれ自体のために示すことができる。さらに、第２のＢＳＲは、第１のＢＳＲ全体または第１のＢＳＲのサブセットを有することができ、あるいはその逆も可能であり、同様のことがＳＲに適用されることに留意されたい。
【００４５】
さらに、第２のＳＲは、たとえば、アップリンクグラントが受信されない場合、周期的に繰り返し送信されてもよい。あるいは、一つまたは複数の論理チャネルの別の部分のための一つまたは複数のＳＲは、第２の送信の後に送信されることが必要とされてもよい。これは、ブロック３２０で行われ、依然として第２の期間のタイムスロット内で行われる。
【００４６】
第１の期間のタイムスロットおよび第２の期間のタイムスロットは、図１および／または２を参照して説明したように、異なるバンドで送信されることに留意されたい。通信デバイスは、新無線ネットワークまたはロングエボリューション（ＬＴＥ）ネットワークなどの無線ネットワークにおいて動作し、通信デバイスは、バンドの第１の部分における第１の期間のタイムスロットにおいて動作し、バンドの第２の部分における第２の期間のタイムスロットにおいても動作し、第１の部分および第２の部分は異なる。
【００４７】
第１のＢＳＲおよび第２のＢＳＲのためのＵＬグラントメッセージは、同時に、または異なる時間に、たとえば、順次受信され得ることに留意されたい。
【００４８】
第２の送信の後、またはブロック３２０の後に、タイマーの動作中にＢＳＲ／ＳＲ送信を禁止する、ｌｏｇｉｃａｌＣｈａｎｎｅｌＳＲ−ＰｒｏｈｉｂｉｔＴｉｍｅｒなどのタイマーが設定される。
【００４９】
全体として、上述の方法は、４つの可能性、すなわち、第１にＢＳＲを送信して第２にＳＲを送信すること、第１にＳＲを送信して第２にＢＳＲを送信すること、第１にＢＳＲを送信して第２にＢＳＲを送信すること、または第１にＳＲを送信して第２にＳＲを送信することを提供する。
【００５０】
上述のように、前のＢＳＲ／ＳＲ送信によるさらなるＢＳＲ／ＳＲ送信を実行することの禁止は、事前設定された条件が満たされるときに、高優先度（および遅延に敏感である）論理チャネルのサブセットについて、解除されてもよい。言い換えると、タイマーの動作中にＢＳＲ／ＳＲ送信を禁止する、ｌｏｇｉｃａｌＣｈａｎｎｅｌＳＲ−ＰｒｏｈｉｂｉｔＴｉｍｅｒなどのタイマーを開始／再開するための条件は、現在の３ＧＰＰ規格を考慮して、論理チャネルのサブセットについて変更され、その結果、ＵＥなどの通信デバイスは、禁止タイマーを開始する前に、論理チャネルのサブセットについて１回を超えてＢＳＲ／ＳＲを送信することを許可される。このようなシナリオによって、ＳＲ／ＢＳＲ送信のダイバーシチ利得、ならびにＢＳＲ／ＢＳＲ送信のカバレッジが向上されてもよい。
【００５１】
図４は、本発明の一つまたは複数の実施形態による複数のＢＳＲ／ＳＲ送信のための例示的な時間および周波数配置である。図示されているように、通信デバイスの周波数バンドの２つの部分ＦＲ１およびＦＲ２があり、すなわち、周波数領域またはバンドの下部として示されているバンドの第１の部分ＦＲ１と、周波数領域またはバンドの上部として示されているバンドの第２の部分ＦＲ２である。たとえば、バンドの第１の部分におけるタイムスロットは、以下では第１のタイムスロットＴＳ１とも呼ばれ、第１の期間を有するように構成され、バンドの第２の部分におけるタイムスロットは、以下では第２の期間を有するように構成され、第２のタイムスロットＴＳ２とも呼ばれる。たとえば、第２の期間の第２のタイムスロットＴＳ２は、時間領域において、第１の期間の第１のタイムスロットＴＳ１よりも短い。第１のタイムスロットＴＳ１はロングタイムスロットと呼ばれ、第２のタイムスロットＴＳ２はショートタイムスロットと呼ばれる。上述したように、第２の期間を有する短い第２のタイムスロットＴＳ２は、リアルタイムトラフィック制御又はリアルタイム監視又は監視アプリケーションシナリオのような遅延に敏感なアプリケーション又はサービスフローにとって望ましい場合がある。本発明の一つまたは複数の実施形態では、より信頼性が高く、時間効率のよい送信ストラテジーを達成するために、送信のための異なる期間の短いタイムスロットおよび長いタイムスロット、ならびに異なるサービスのための異なる論理チャネルの優先度を考慮に入れることが有利である。
【００５２】
図４を参照すると、第１の論理チャネルＬＣ  ａおよび第２の論理チャネルｂが示されており、第１の論理チャネルＬＣ  ａは、周波数バンドの第１の部分または周波数範囲ＦＲ１にわたって延在し、第２の論理チャネルＬＣ  ｂは、ＵＥに割り当てられるか、またはＵＥによって使用される周波数バンドの第２の部分または周波数範囲ＦＲ２にわたって延在する。
【００５３】
第１の論理チャネルＬＣＨａは、たとえば、緊急アプリケーションに関連する高優先度論理チャネルであると仮定される。第２の論理チャネルＬＣＨｂは、（優先度が第１の論理チャネルＬＣＨａよりも低い）低優先度論理チャネルであってもよい。
【００５４】
第１の論理チャネルＬＣＨａのためのペイロードのバッファサイズを有するＢＳＲは、他の論理チャネル、たとえば図４に示されるような第２の論理チャネルＬＣＨｂのペイロードデータと共に、時間領域における第１の期間の第１のタイムスロットＴＳ１において、および周波数領域におけるバンドの第１の部分ＦＲ１において送信される。
【００５５】
第１の期間の第１のタイムスロットＴＳ１は、長い送信タイムスロット（たとえば、１ｍｓ）であり得る。したがって、アップリンク送信リソースは、長い第１のタイムスロット送信のために遅れて割り当てられることがある。送信遅延を低減するために、第１の論理チャネルＬＣＨａのためのＳＲは、バンドの第２の部分ＦＲ２において第２の期間（たとえば、０．２５ｍｓ）を有するより短い第２のタイムスロットＴＳ２において送信されてもよい。送信時間間隔は、第２のタイムスロットについて短いので、第１の論理チャネルＬＣＨａは、より早く、物理アップリンク共有チャネル（ＰＵＳＣＨ）においてアップリンク送信リソースを許可されてもよく、これは、第１の論理チャネルＬＣＨａの高優先度サービスまたは遅延に敏感なアプリケーションに望ましい。
【００５６】
第１の論理チャネルＬＣＨａのためのＳＲが送信された後、図４の例では、タイマーが開始され、その間、ＬＣＨａのためのＢＳＲおよび／またはＳＲのさらなる送信は、構成されたまたは設定された時間の間禁止される。このタイマーは、たとえば、３ＧＰＰ  ３６３２１、Ｖ１５．１．０に規定されているように、ｌｏｇｉｃａｌＣｈａｎｎｅｌＳＲ−ＰｒｏｈｉｂｉｔＴｉｍｅｒ（論理チャネルＳＲ−禁止タイマー）として実現することができる。例として示されるように、ＬＣＨａのためのＳＲがネットワーク側によって受信された後、第１の期間の第１のタイムスロットにおけるバンドの第２の部分におけるＰＵＳＣＨ送信リソースが、第１の論理チャネルＬＣＨａのために許可される。したがって、第１の論理チャネルＬＣＨａに関連するサービスのペイロードは、より短いタイムスロット構成でバンドの第２の部分で送信することができ、これは、遅延に敏感なサービスにとって有利である。
【００５７】
この例によれば、ＵＥは、以下を実行することができる。
【００５８】
・  第１の論理チャネルＬＣＨａのバッファサイズを有するＢＳＲを、第２の論理チャネルＬＣＨｂのペイロードデータと共に、時間領域における第１の期間の第１のタイムスロットＴＳ１で、かつ、周波数領域におけるバンドの第１の部分ＦＲ１で送信し、
【００５９】
・  バンドの第２の部分において第２の期間の第２のタイムスロットＴＳ２で第１の論理チャネルＬＣＨのためのＳＲを送信し、第２のタイムスロットは第１のタイムスロットよりも短いものであり、
【００６０】
・  第１の論理チャネルＬＣＨａのためのＢＳＲおよび／またはＳＲのさらなる送信が（あらかじめ設定された時間の間）禁止されるタイマーを開始する。
【００６１】
なお、図４では、複数の論理チャネルの中で、優先度の高い一つの論理チャネル、すなわち第１の論理チャネルＬＣＨａのみが考慮されているが、優先度の高い２つ以上の論理チャネルがあってもよく、したがって、複数の論理チャネルについて、長いタイムスロットおよび短いタイムスロットにおける重複したＢＳＲ／ＳＲ送信を実行してもよい。第１のタイムスロットＴＳ１および第２のタイムスロットＴＳ２の両方において遅延に敏感なバッファ状態情報を送信することは、ネットワーク側が高優先度チャネル、たとえば第１の論理チャネルＬＣＨａのバッファ状態情報を復号するためのダイバーシチ利得をもたらす。
【００６２】
図５は、本発明の一つまたは複数の実施形態による複数のＢＳＲ／ＳＲ送信の別の例示的な時間および周波数配置である。図４と同様に、通信デバイスまたはＵＥの周波数バンドの２つの部分ＦＲ１およびＦＲ２が示される。さらに、同様に、第１の部分ＦＲ１内のタイムスロット（第１のタイムスロットＴＳ１）は、第２の部分ＦＲ２内のタイムスロット（第２のタイムスロットＴＳ２）よりも長い期間を有するように構成される。図５は、ＵＥに割り当てられた、またはＵＥによって使用される周波数バンドの第１の部分または周波数範囲ＦＲ１にわたって延在する第１の論理チャネルＬＣａと、周波数バンドの第２の部分または周波数範囲ＦＲ２にわたって延在する第２の論理チャネルＣｈｂとをさらに例示的に示す。
【００６３】
さらに、図４と同様に、第１の論理チャネルＬＣＨａのバッファ状態情報は、ＰＵＳＣＨ内のＭＡＣプロトコルデータユニット（ＰＤＵ）内のトラフィックデータのペイロードとともに、第１の期間を有する第１のタイムスロットＴＳ１内で送信されていると仮定する。図５と以前の図４との間の差は、ＬＣＨａのためのＳＲが、ネットワーク側から、たとえば、ＢＳまたはｅＮＢまたはアクセスノードからグラントが受信されない場合、第２の期間を有する追加の第２のタイムスロットＴＳ２において、ある回数または所定の回数（１より大きい）にわたって送信され得ることである。これは、第１の論理チャネルＬＣＨａのためのＳＲが、重複して送信され得ることを意味し、これは、図４に与えられた例と比較して、ネットワーク側におけるＳＲのための復号品質をさらに改善し得る。ＳＲが、アップリンクグラントが受信される前に、所定の回数の間、ＵＥによって送信された場合、ＵＥは、タイマーに関連するある設定時間の間、第１の論理チャネルＬＣＨのためのＢＳＲ／ＳＲのさらなる送信を禁止するために、タイマーを開始する。この実施形態は、緊急アプリケーションまたは非常に遅延に敏感なアプリケーションに有利である。
【００６４】
この例によれば、ＵＥは、以下を実行することができる。
【００６５】
・  アップリンクグラントを受信するまで、第１の論理チャネルＬＣＨａのペイロードのバッファサイズを有するＢＳＲを、第１の論理チャネルＬＣＨｂのペイロードデータとともに、時間領域における第１の期間の第１のタイムスロットＴＳ１および周波数領域におけるバンドの第１の部分ＦＲ１において送信し、
【００６６】
・  バンドＦＲ２の第２の部分における第２の期間の第２のタイムスロットＴＳ２において、第１の論理チャネルＬＣＨａのためのＳＲを繰り返し送信し、ここで第２のタイムスロットは、第１のタイムスロットより短いものであり、
【００６７】
・  所定の回数ＳＲを送信した後、タイマーを開始し、タイマーが稼働している間（構成された時間の間）は、第１の論理チャネルＬＣＨａのためのＢＳＲおよび／またはＳＲのさらなる送信は禁止される。
【００６８】
図６は、本発明の一つまたは複数の実施形態による複数のＢＳＲ／ＳＲ送信の別の例示的な時間および周波数配置である。図４および図５と同様に、通信デバイスまたはＵＥの周波数バンドの２つの部分ＦＲ１およびＦＲ２が示されている。さらに、同様に、第１の部分ＦＲ１内のタイムスロット（第１のタイムスロットＴＳ１）は、第２の部分ＦＲ２内のタイムスロット（第２のタイムスロットＴＳ２）よりも長い期間を有するように構成される。図５は、ＵＥに割り当てられた、またはＵＥによって使用される周波数バンドの第１の部分または周波数範囲ＦＲ１にわたって延在する第１の論理チャネルＬＣａと、周波数バンドの第２の部分または周波数範囲ＦＲ２にわたって延在する第２の論理チャネルＣｈｂとをさらに例示的に示す。
【００６９】
さらに、図４および図５と同様に、第１の論理チャネルＬＣＨａのＢＳＲ内のバッファ状態情報は、バンドの第１の部分ＦＲ１内の第１の期間の第１のタイムスロットのＰＵＳＣＨ内で送信されている。図示されるように、第１の論理チャネルＬＣＨａのＢＳＲは、好ましくは、バンドの第１の部分における第１の期間の第１のタイムスロットにおけるＢＳＲの送信中に、バンドの第２の部分のＰＵＳＣＨにおける第２の期間の第２のタイムスロットにおいて送信される。これは、第１の論理ＬＣＨａのＢＳＲが第１のタイムスロットと第２のタイムスロットの両方で送信されることを意味し、これはＢＳＲのかなりのダイバーシチ利得をもたらすことができる。第１のタイムスロット内のＢＳＲが突然の干渉波によって干渉される場合、ネットワーク側が異なるタイムスロット構成内のＰＵＳＣＨ内のＢＳＲを正しく検出する確率は依然として高い。ＰＵＳＣＨ送信は、ハイブリッド自動再送要求（ＨＡＲＱ）再送信メカニズムを利用することもでき、その結果、より良好な復号性能が得られる。
【００７０】
別の例では、タイマーは、第２のタイムスロットにおけるＬＣＨａのためのＢＳＲが送信された後に予め設定された時間期間が経過した後に、開始される。また、図４〜図６の例では、例示のためだけに、第２のタイムスロットにおけるＢＳＲ／ＳＲの送信は、バンドの第１の部分における第１のタイムスロットにおけるＢＳＲの送信とオーバーラップされることに留意されたい。
【００７１】
さらに別の例では、高い優先度を有する、または遅延に敏感なサービスに関連する２つ以上の論理チャネルが存在し得る。高優先度チャネルの対応するリストは、たとえば、ＰＤＣＣＨ上の無線リソース制御（ＲＲＣ）シグナリングまたはＭＡＣ  ＣＥまたはダウンリンク制御情報（ＤＣＩ）を介して、静的な（事前設定された）方法で、または動的な方法で、通信デバイスのためにネットワーク側によって、設定されてもよい。
【００７２】
図７は、本発明の一つまたは複数の実施形態による通信デバイスのブロック図を概略的に示す。通信デバイス１は、ＵＥ、たとえば、図１に示されるようなＵＥ  １であり得るか、またはＵＥによって構成されてもよい。図７において、通信デバイス１は、第１のコンポーネント７０１、第２のコンポーネント７０２、第３のコンポーネント７０３、第４のコンポーネント７０４、第５のコンポーネント７０５、および第６のコンポーネント７０６を有する。通信デバイス１は、示された要素に限定されず、他の従来の要素および他の目的のために実装された追加の要素を有することができることを理解されたい。
【００７３】
第１のコンポーネントは、第１の期間の第１のタイムスロットにおいて、一つまたは複数の論理チャネルのために第１のＢＳＲまたは第１のＳＲを送信することを有する第１の送信を実行するように構成され、第２のコンポーネントは、第２の期間の第２のタイムスロットにおいて、一つまたは複数の論理チャネルの少なくとも第１の部分のために第２のＢＳＲまたは第２のＳＲを送信することを有する第２の送信を実行するように構成される。第３のコンポーネントは、第１のＢＳＲまたは第２のＢＳＲを送信するためのスロット期間を有するアップリンクグラントメッセージを受信するように構成される。第４のコンポーネントは、以下のステップを実行するように構成される：第１のＢＳＲを送信するためのアップリンクグラントメッセージを受信したことに応答して、要求されるスロット期間がアップリンクグラントメッセージに含まれるスロット期間と一致する場合に、一つまたは複数の論理チャネルの優先度に基づいて第１のコンポーネントに第１のＢＳＲを送信することを要求すること、第２のＢＳＲを送信するためのアップリンクグラントメッセージを受信したことに応答して、要求されるスロット期間がアップリンクグラントメッセージに含まれるスロット期間と一致する場合に、第２のコンポーネントに、一つまたは複数の論理チャネルの少なくとも第１の部分の優先度に基づいて第２のＢＳＲを送信することを要求すること。第５のコンポーネントは、第２の送信が終了した後に、一つまたは複数の論理チャネルのための任意のさらなるＢＳＲまたはＳＲが禁止される期間を計時するよう、タイマーを設定するように構成される。第６のコンポーネントは、無線リソース制御、ＲＲＣ、シグナリングを介して一つまたは複数の論理チャネルのリストを事前設定するように構成される。
【００７４】
コンポーネント７０１から７０６は、図７では別個のコンポーネントとして示されているが、これは単に機能が分離されていることを示すためである。コンポーネントは、別個のコンポーネントとして提供されてもよい。しかしながら、他の構成も可能である。コンポーネントの任意の組み合わせは、任意の適切な位置におけるソフトウェア、ハードウェア、および／またはファームウェアの任意の組み合わせで実装されてもよい。たとえば、それぞれのシステムが示された一つまたは複数のコンポーネントを有する、ネットワークを介して共に結合された、いくつかの装置の間で、共に動作する、局所的に実施される、又は分散される、より多くのシステムが存在することができる。
【００７５】
コンポーネントは、マシン、たとえば、可読媒体内に具現化されたマシン実行可能命令を構成することができ、マシンによって実行されると、マシンに、説明された動作を実行させることになる。また、各コンポーネントは、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＤＳＰ（Ｄｉｇｉｔａｌ  Ｓｉｇｎａｌ  Ｐｒｏｃｅｓｓｏｒ）、ＦＰＧＡ（Ｆｉｅｌｄ  Ｐｒｏｇｒａｍｍａｂｌｅ  Ｇａｔｅ  Ａｒｒａｙ）等のハードウェアとして実現されてもよい。
【００７６】
さらに、本明細書で説明されるこの構成および他の構成は、単に例として記載されることを理解されたい。他の配置およびコンポーネント（たとえば、ユーザインターフェースなど）が、示されたものに加えて、またはその代わりに使用され得、いくつかのコンポーネントは、完全に省略されてもよい。
【００７７】
これらのコンポーネント間の機能および協働は、以下で詳細に説明される。
【００７８】
第１に、第６のコンポーネント７０６は、無線リソース制御（ＲＲＣ）シグナリングなどによって、図３の方法に関与することになる一つまたは複数のターゲット論理チャネルを事前に構成する。次に、第３のコンポーネント７０３が、第１のＢＳＲまたは第２のＢＳＲを送信するためのスロット期間を有するアップリンクグラントメッセージを受信した後、第４のコンポーネント７０４は、以下のステップを実行する：第１のＢＳＲを送信するためのアップリンクグラントメッセージを受信したことに応答して、要求されるスロット期間が、アップリンクグラントメッセージに含まれるスロット期間と一致する場合に、第１の送信として、一つまたは複数の論理チャネルの優先度に基づいて第１のＢＳＲを送信するよう第１のコンポーネントに要求すること、第２のＢＳＲを送信するためのアップリンクグラントメッセージを受信したことに応答して、アップリンクグラントメッセージに含まれるスロット期間と一致する場合に、第２のコンポーネントに、第２の送信として、一つまたは複数の論理チャネルの少なくとも第１の部分の優先度に基づいて第２のＢＳＲを送信するよう第２のコンポーネントに要求すること。
【００７９】
非限定的な一例では、第１のＢＳＲは、４つの論理チャネルのそれぞれのＢＳＲを多重化してなるロングＢＳＲである。別の非限定的な例では、ＢＳＲは、ただ一つの論理チャネルのための短いＢＳＲである。
【００８０】
第１の送信コンポーネントはまた、第１の送信として第１の期間（たとえば、１ｍｓ）の第１のタイムスロットにおいて第１のＳＲを直接送信するように構成される。
【００８１】
第２の送信コンポーネントはまた、第２の送信として第２の期間（たとえば、０．２５ｍｓ）の第２のタイムスロットにおいて第２のＳＲを直接送信するように構成される。
【００８２】
スロット期間は、たとえば、第１のタイムスロットＴＳ１の期間が０．２５ｍｓであり、第２のタイムスロットの期間が１ｍｓであるように、異なって選択されてもよいことに留意されたい。ＳＲは、単一ビットであってもよいが、その送信リソースによって一つまたは複数の関連する論理チャネルを示してもよいことにも留意されたい。代替として、ＳＲは、複数のビットであってもよく、それ自体について一つまたは複数の関連する論理チャネルを示すことができる。さらに別の例では、第２のＢＳＲは、第１のＢＳＲの全体またはサブセットを有することができ、またはその逆であり、同様にＳＲに適用される。
【００８３】
さらに、第２の送信コンポーネントは、たとえば、アップリンクグラントが受信されない場合に、周期的に、第２の送信として、第２のＳＲを繰り返し送信することができる。あるいは、第２の送信コンポーネントは、第２のＢＳＲまたは第２のＳＲが送信された後に、第２の送信として、一つまたは複数の論理チャネルの別の部分のために一つまたは複数のＳＲを送信することができる。これらの第２の送信は、依然として第２の期間のタイムスロット内にある。
【００８４】
図１および／または図２を参照して説明したように、第１の期間のタイムスロットおよび第２の期間のタイムスロットは異なるバンドで送信されることに留意されたい。また、通信デバイスは、新無線ネットワークまたはロングエボリューション（ＬＴＥ）ネットワークなどの無線ネットワークで動作し、通信デバイスは、バンドの第１の部分において第１の期間のタイムスロットで動作し、バンドの第２の部分において第２の期間のタイムスロットで動作し、第１の部分および第２の部分は異なることにも留意されたい。
【００８５】
第１のＢＳＲおよび第２のＢＳＲのためのＵＬグラントメッセージは、同じまたは異なる、たとえば、連続する時間に受信され得ることに留意されたい。
【００８６】
第２の送信が行われた後、第５のコンポーネントは、タイマーの動作中にＢＳＲ／ＳＲ送信を禁止することになる、ｌｏｇｉｃａｌＣｈａｎｎｅｌＳＲ−ＰｒｏｈｉｂｉｔＴｉｍｅｒなどのタイマーを設定する。
【００８７】
全体として、上述の通信デバイスは、４つの可能性、すなわち、第１にＢＳＲを送信して第２にＳＲを送信すること、第１にＳＲを送信して第２にＢＳＲを送信すること、第１にＢＳＲを送信して第２にＢＳＲを送信すること、または第１にＳＲを送信して第２にＳＲを送信することを提供する。このようにして、全体として、本方法は、新しい事前設定された条件が満たされたときに、以前のＢＳＲ／ＳＲ送信に起因するいくつかの高優先度および遅延に敏感な論理チャネルのためのＢＳＲ／ＳＲ送信を禁止しすることができる。言い換えると、タイマーの動作中にＢＳＲ／ＳＲ送信を禁止する、ｌｏｇｉｃａｌＣｈａｎｎｅｌＳＲ−ＰｒｏｈｉｂｉｔＴｉｍｅｒなどのタイマーを開始／再開するための条件が変更され、その結果、ＵＥなどの通信デバイスは、禁止タイマーが起動される前であれば、同じまたはサブセットの論理チャネルに対して１回より多くＢＳＲ／ＳＲを送信することが許可される。このシナリオによって、ＵＲＬＬＣのためのＳＲ／ＢＳＲ送信ダイバーシチ利得は、増強され、ＵＲＬＬＣのためのＢＳＲ／ＢＳＲ送信のカバレッジも、増強される。
【００８８】
図８は、本発明の実施形態に係る通信デバイス１の例示的な物理的コンポーネントのブロック図を概略的に示す。図７に示されるように、通信デバイスは、一般に、ユーザ機器、たとえば図１のＵＥ１であり得る。
【００８９】
図８において、通信デバイス１は、記憶装置８０１と、プロセッシングシステム  ８０２と、ネットワークインターフェース８０３と、通信媒体８０４とを有する。
【００９０】
記憶装置８０１は、データおよび／またはコンピュータ実行可能命令を記憶することができる一つまたは複数のコンピュータ利用可能またはコンピュータ可読記憶媒体を有する。記憶媒体は、好ましくは、非一時的記憶媒体であることを理解されたい。記憶装置８０１は、各種のデータ及び／又はソフトウェア命令を保存する。たとえば、図８の例では、記憶装置８０１内の命令は、プロセッシングシステムで実行されるときに、ネットワークデバイス１に、図３を参照して本明細書で説明される方法を実装させる命令を有することができる。いくつかの実施形態では、いくつかの別個の記憶媒体が、図３を参照して本明細書で説明される方法および関連するデータをそれぞれ実装するための符号を記憶するために使用される。このような記憶装置８０１の例としては、ハードドライブ、コンパクトディスクドライブ、ブルーレイ・ディスク・ドライブ、ＲＡＩＤ  システム、デジタル汎用ディスク（ＤＶＤ）・ドライブなどが挙げられる。
【００９１】
プロセッシングシステム  ８０２は一つまたは複数のプロセッシング（処理）ユニットを有する。処理ユニットは、記憶装置８０１などのコンピュータ可読媒体からデータおよび命令を読み取り、命令を選択的に実行する一つまたは複数の集積回路を有する物理デバイスまたは製造品である。様々な実施形態では、プロセッシングシステム  ８０２は、様々な方法で実装され、任意の所望のファミリまたは製造業者からの一つまたは複数の集積回路、ロジック回路、マイクロプロセッサまたはコントローラによって実装することができる。たとえば、プロセッシングシステム  ８０２は、一つまたは複数のプロセッシング（処理）コアとして実装されてもよい。別の実施形態では、プロセッシングシステム  ８０２は、一つまたは複数の別個のマイクロプロセッサを有することができる。さらに別の例示的な実施形態では、プロセッシングシステム  ８０２は、特定の機能性を提供する特定用途向け集積回路（ＡＳＩＣ）を有することができる。さらに別の実施形態では、プロセッシングシステム  ８０２は、ＡＳＩＣを使用し、コンピュータ実行可能命令を実行することによって、具体的な機能を提供する。
【００９２】
ネットワークインターフェース８０３は、イーサネット（登録商標）インターフェース、ユニバーサルシリアルバス（ＵＳＢ）、および／またはＰＣＩエクスプレスインターフェースなど、任意の種類のインターフェース規格によって実装されてもよい。ネットワークインターフェース８０３は、ネットワーク（たとえば、イーサネット（登録商標）コネクション、デジタル加入者回線（ＤＳＬ）、電話回線、同軸ケーブル、携帯電話システムなど）を介した外部マシン（たとえば、任意の種類のＳＴＢ）とのデータのやり取りを容易にするために、送信機、受信機、送受信機、モデム、および／またはネットワークインターフェースカードのうちの任意の一つ以上を有する。
【００９３】
図８の実施例では、通信媒体８０４は、記憶装置８０１、プロセッシングシステム  ８０２、およびネットワークインターフェース８０３の間の通信を容易にする。通信媒体８０４は、様々な方法で実装することができる。たとえば、通信媒体８０４は、ＰＣＩバス、ＰＣＩエクスプレスバス、アクセラレーテッドグラフィックスポート（ＡＧＰ）バス、シリアルアドバンストテクノロジアタッチメント（ＡＴＡ）相互接続、パラレルＡＴＡ相互接続、ファイバチャネル相互接続、ＵＳＢバス、スモールコンピューティングシステムインターフェース（ＳＣＳＩ）インターフェース、または外部記憶装置に接続することができる任意の他の種類の通信媒体または任意のコネクションの媒体を有することができる。
【００９４】
本発明の一実施形態によれば、コンピュータ実行可能命令を格納する一つまたは複数のコンピュータ可読記憶装置が提供され、コンピュータ実行可能命令は、コンピューティングデバイスによって実行されると、コンピューティングデバイスに、図３を参照する方法を実装させる。
【００９５】
本発明の別の実施形態によれば、図３を参照して方法を実行するように適合された装置が提供される。
【００９６】
本発明の別の実施形態によれば、少なくとも一つのプロセッサ上で実行されると、少なくとも一つのプロセッサに、図３を参照して方法を実行させる命令を有するコンピュータプログラムが提供される。
【００９７】
前述の明細書において、本発明の実施形態は、その特定の例示的な実施形態を参照して説明されてきた。以下の特許請求の範囲に記載された本発明のより広い精神および範囲から逸脱することなく、様々な修正を行うことができることが明らかであろう。したがって、本明細書および図面は、限定的な意味ではなく、例示的な意味で見なされるべきである。
【００９８】
説明全体を通して、本発明の実施形態は、流れ図を通して提示されている。これらのフロー図に記載されたトランザクションおよびトランザクションの順序は、例示の目的のみを意図したものであり、本発明を限定するものではないことが理解されよう。
【００９９】
以下では、いくつかのさらなる実施形態が例示的に説明される。
【０１００】
Ｅ１．無線ネットワークにおける通信デバイスのための方法であって、
【０１０１】
・第１の期間の第１のタイムスロットにおいて、一つまたは複数の論理チャネルのために、第１のバッファステータスレポートＢＳＲまたは第１のスケジューリング要求ＳＲを送信することを有する第１の送信を実行することと、
【０１０２】
・一つまたは複数の論理チャネルの少なくとも第１の部分について、第２の期間の第２のタイムスロットにおいて、第２のＢＳＲまたは第２のＳＲを送信することを有する、第２の送信を実行することと、を有する。
【０１０３】
Ｅ２．実施形態１の方法は、さらに、
【０１０４】
・第１のＢＳＲまたは第２のＢＳＲを送信するためのスロット期間を有するアップリンクグラントメッセージを受信することと、
【０１０５】
・第１のＢＳＲを送信するためのアップリンクグラントメッセージを受信したことに応答して、
【０１０６】
・要求されたスロット期間がアップリンクグラントメッセージに含まれるスロット期間と一致する場合、一つまたは複数の論理チャネルの優先度に基づいて第１のＢＳＲを送信することを要求することと、
【０１０７】
・第２のＢＳＲを送信するためのアップリンクグラントメッセージを受信したことに応答して、
【０１０８】
・要求されたスロット期間がアップリンクグラントメッセージに含まれるスロット期間と一致する場合、一つまたは複数の論理チャネルの少なくとも第１の部分の優先度に基づいて第２のＢＳＲを送信することを要求すること、を有する。
【０１０９】
Ｅ３．第１の期間よりも第２の期間が短いことを特徴とする実施形態１の方法。
【０１１０】
Ｅ４．一つまたは複数の論理チャネルの少なくとも第１の部分が、一つまたは複数の論理チャネルの他の部分よりも高い優先度を有する実施形態１の方法。
【０１１１】
Ｅ５．第２の送信は、さらに以下を有する、実施形態１に記載の方法。
【０１１２】
・第２の期間を有する一つまたは複数の追加のタイムスロットにおいて、一つまたは複数の論理チャネルの少なくとも第２の部分のための一つまたは複数のＳＲを送信すること。
【０１１３】
Ｅ６．以下をさらに有する、実施形態１または５の方法。
【０１１４】
・第２の送信が終了した後、一つまたは複数の論理チャネルのための任意のさらなるＢＳＲまたはＳＲが禁止される期間をタイマーに設定すること。
【０１１５】
Ｅ７．無線ネットワークが、通信デバイスがバンドの第１の部分における第１の期間のタイムスロットで動作するとともに、バンドの第２の部分において第２の期間のタイムスロットで動作する、新無線ネットワークであることを特徴とする実施形態１の方法。
【０１１６】
Ｅ８．実施形態１の方法であって、無線ネットワークが、通信デバイスがバンドの第１部分において第１期間のタイムスロットで動作するとともに、バンドの第２部分において第２期間のタイムスロットで動作し、第１部分と第２部分が異なるものである、ロングタームエボリューション、ＬＴＥ、ネットワークである。
【０１１７】
Ｅ９．実施形態１の方法は、さらに、
【０１１８】
・無線リソース制御、ＲＲＣ、シグナリングを介して一つまたは複数の論理チャネルのリストを事前構成すること。
【０１１９】
Ｅ１０．無線ネットワークにおける通信デバイスであって、次を有する。
【０１２０】
・第１の期間の第１のタイムスロットにおいて第１の送信を実行するための第１のコンポーネントであって、第１の送信は一つまたは複数の論理チャネルのために第１のバッファステータスレポートＢＳＲまたは第１のスケジューリング要求ＳＲを送信するものである、第１のコンポーネントと、
【０１２１】
・第２の期間の第２のタイムスロットにおいて、一つまたは複数の論理チャネルの少なくとも第１の部分のために、第２のＢＳＲまたは第２のＳＲを送信することを有する第２の送信を実行するための第２のコンポーネント。
【０１２２】
Ｅ１１．実施形態１０のデバイスは、さらに次を有する。
【０１２３】
・第１のＢＳＲまたは第２のＢＳＲを送信するためのスロット期間を有するアップリンクグラントメッセージを受信するための第３のコンポーネントと、
【０１２４】
・以下のステップを実行するための第４のコンポーネント。
【０１２５】
・第１のＢＳＲを送信するためのアップリンクグラントメッセージを受信したことに応答して、
【０１２６】
・要求されたスロット期間がアップリンクグラントメッセージに含まれるスロット期間と一致する場合、一つまたは複数の論理チャネルの優先度に基づいて第１のＢＳＲを送信するように第１のコンポーネントに要求することと、
【０１２７】
第２のＢＳＲを送信するためのアップリンクグラントメッセージを受信したことに応答して、  
【０１２８】
・必要なスロット期間がアップリンクグラントメッセージに含まれるスロット期間と一致する場合、一つまたは複数の論理チャネルの少なくとも第１の部分の優先度に基づいて第２のコンポーネントに第２のＢＳＲを送信するように要求すること。
【０１２９】
Ｅ１２．実施形態１０のデバイスであって、第１の期間よりも第２の期間が短い。
【０１３０】
Ｅ１３．実施形態１０のデバイスであって、一つまたは複数の論理チャネルの少なくとも第１の部分が、一つまたは複数の論理チャネルの他の部分よりも高い優先度を有する。
【０１３１】
Ｅ１４．実施形態１０のデバイスであって、第２送信がさらに以下を含んでいる。
【０１３２】
・第２の期間を有する一つまたは複数の追加のタイムスロットにおいて、一つまたは複数の論理チャネルの少なくとも第２の部分のための一つまたは複数のＳＲを送信すること。
【０１３３】
Ｅ１５．実施形態１０又は１４のデバイスであっては、さらに次を有する。
【０１３４】
−第２の送信が終了した後に、一つまたは複数の論理チャネルのための任意のさらなるＢＳＲまたはＳＲが禁止される期間をタイマーに設定するための第５のコンポーネント。
【０１３５】
Ｅ１６．実施形態１０のデバイスであって、無線ネットワークが、通信デバイスがバンドの第１の部分における第１の期間のタイムスロットで動作するとともに、バンドの第２の部分においても第２の期間のタイムスロットで動作する、新無線ネットワークである。
【０１３６】
Ｅ１７．実施形態１０のデバイスであって、無線ネットワークが、通信デバイスがバンドの第１部分の第１期間のタイムスロットで動作するとともに、バンドの第２部分の第２期間のタイムスロットで動作し、第１部分と第２部分が異なる、ロングタームエボリューション、ＬＴＥ、ネットワークである。
【０１３７】
Ｅ１８．実施形態１０のデバイスは、さらに次を有する。
【０１３８】
・無線リソース制御、ＲＲＣ、シグナリングを介して一つまたは複数の論理チャネルのリストを事前構成するための第６のコンポーネント。
【０１３９】
Ｅ１９．無線ネットワークにおける通信デバイスであって、次を有する。
【０１４０】
・データおよび命令を記憶するように適合した記憶装置と、
【０１４１】
・  実施形態１から９のいずれかのステップを実行するように適合したプロセッシングシステムと、
【０１４２】
・無線ネットワーク内の他のエンティティとデータを通信するように適合したネットワークインターフェースと、
【０１４３】
・少なくとも記憶装置、プロセッシングシステム、およびネットワークインターフェースの間の通信を容易にするように適合した通信媒体。
【０１４４】
Ｅ２０．コンピューティングデバイスによって実行されると、コンピューティングデバイスに、実施形態１から９のいずれかの方法を実行させる、コンピュータ実行可能命令を格納した一つまたは複数のコンピュータ可読ストレージ。
【０１４５】
Ｅ２１．実施形態１から９のいずれかに記載の方法を実行するように適合したデバイス。
【０１４６】
Ｅ２２．コンピュータプログラムは、少なくとも一つのプロセッサ上で実行されると、少なくとも一つのプロセッサに、実施形態１から９のいずれか一つによる方法を実行させる命令を有する。
【０１４７】
Ｅ２３．実施形態２２２のコンピュータプログラムを有するキャリアであり、キャリアは、電子信号、光信号、無線信号、またはコンピュータ読み取り可能記憶媒体のいずれかである。
【図１】
2020519058.tif 000003
【図２】
2020519058.tif 000004
【図３】
2020519058.tif 000005
【図４】
2020519058.tif 000006
【図５】
2020519058.tif 000007
【図６】
2020519058.tif 000008
【図７】
2020519058.tif 000009
【図８】
2020519058.tif 000010
【手続補正書】
【提出日】令和1年11月27日(2019.11.27)
【手続補正１】
【補正対象書類名】特許請求の範囲
【補正対象項目名】全文
【補正方法】変更
【補正の内容】
【特許請求の範囲】
【請求項１】
無線ネットワークにおける通信デバイス（１）のための方法であって、
・  第１のタイムスロット期間の第１のタイムスロット（ＴＳ１）において、複数の論理チャネルについてバッファステータスレポート、ＢＳＲ、を送信することを有する第１の送信を実行することと、
・  第２のタイムスロット期間の第２のタイムスロット（ＴＳ２）において、前記複数の論理チャネルの少なくとも第１の部分についてスケジューリングリクエスト、ＳＲ、を送信することを有する第２の送信を実行することと、を有し、
・前記複数の論理チャネルの前記第１の部分における一つまたは複数の論理チャネル（ＬＣＨａ）は、前記複数の論理チャネルの他の論理チャネル（ＬＣＨｂ）よりも高い優先度を有する、方法。
【請求項２】
請求項１に記載の方法であって、前記第１の送信は、周波数バンドの第１の部分（ＦＲ１）で実行され、前記第２の送信は、前記周波数バンドの第２の部分（ＦＲ２）で実行される、方法。
【請求項３】
請求項１に記載の方法であって、さらに、
・  前記ＢＳＲを送信するための前記第１のタイムスロット期間を有するアップリンクグラントメッセージを受信することと、
・  前記ＢＳＲを送信するための前記アップリンクグラントメッセージを受信したことに応答して、必要となるスロット期間が前記アップリンクグラントメッセージに含まれるタイムスロット期間と一致する場合、前記複数の論理チャネルの優先度に基づいて前記ＢＳＲを送信することと、
・  前記ＳＲを送信するための前記アップリンクグラントメッセージを受信したことに応答して、必要となるタイムスロット期間が前記アップリンクグラントメッセージに含まれる前記タイムスロット期間と一致する場合、前記複数の論理チャネルの少なくとも一部の優先度に基づいて前記ＳＲを送信することと、を有する方法。
【請求項４】
請求項２に記載の方法であって、さらに、
・  第１の論理チャネル（ＬＣＨａ）が第２の論理チャネル（ＬＣＨｂ）よりも高い優先度を有することを判定することと、
・  前記第１のタイムスロット（ＴＳ１）において前記第２の論理チャネル（ＬＣＨｂ）のペイロードデータと共に前記第１の論理チャネル（ＬＣＨａ）のためのペイロードのバッファサイズを有する前記ＢＳＲを送信することによって、前記第１の送信を実行することと、
・  前記第２のタイムスロット（ＴＳ２）において前記第１の論理チャネル（ＬＣＨａ）のための前記ＳＲを送信することと、を有する方法。
【請求項５】
請求項４に記載の方法であって、さらに、
・  前記第１の送信を実行した後であって、かつ、前記第２の送信を実行した後に、タイマーを開始することを有し、当該タイマーが動作している間である設定された時間の間は、前記第１の論理チャネル（ＬＣＨａ）のための前記ＢＳＲおよび／または前記ＳＲのさらなる送信が禁止される、方法。
【請求項６】
請求項４に記載の方法であって、さらに、
・  事前に設定された回数について、前記第１の送信を実行した後であって、かつ、前記第２の送信を繰り返し実行した後に、タイマーを開始することを有し、当該タイマーが動作している間である設定された時間の間は、前記第１の論理チャネル（ＬＣＨａ）のための前記ＢＳＲおよび／または前記ＳＲのさらなる送信が禁止される、方法。
【請求項７】
請求項４から６のいずれか一項に記載の方法であって、さらに、
・  アップリンクグラントを受信することと、
・  前記周波数バンドの前記第２の部分（ＦＲ２）における前記第１の論理チャネル（ＬＣＨａ）の前記ペイロードを、前記第２のタイムスロット期間を有するタイムスロットと共に送信すること、を有する方法。
【請求項８】
請求項７に記載の方法であって、前記アップリンクグラントは、ＰＵＳＣＨ送信リソースを示す、方法。
【請求項９】
請求項１から８のいずれか一項に記載の方法であって、前記第２のタイムスロット期間は、前記第１のタイムスロット期間よりも短い、方法。
【請求項１０】
請求項１または２に記載の方法であって、前記第２の送信は、さらに、
・  前記第２のタイムスロット期間の一つまたは複数の追加のタイムスロットにおいて、前記複数の論理チャネルの前記第１の部分の一つまたは複数の論理チャネルのための一つまたは複数のＳＲを送信すること、を有する方法。
【請求項１１】
請求項１から１０のいずれか一項に記載の方法であって、さらに、
・  第２の送信が終了した後、一つまたは複数の論理チャネルのための任意のさらなるＢＳＲまたはＳＲが禁止される期間をタイマーに設定すること、を有する方法。
【請求項１２】
請求項１または２に記載の方法であって、前記無線ネットワークは、前記通信デバイスが、バンドの第１の部分における前記第１のタイムスロット期間のタイムスロットにおいて動作するとともに、前記バンドの第２の部分における前記第２のタイムスロット期間のタイムスロットにおいて動作し、前記第１の部分と前記第２の部分とが異なる、新無線、ＮＲ、ネットワークである、方法。
【請求項１３】
請求項１から１２のいずれか一項に記載の方法であって、前記無線ネットワークは、前記通信デバイスが、バンドの第１の部分において前記第１のタイムスロット期間のタイムスロットで動作するとともに、前記バンドの第２の部分において前記第２のタイムスロット期間のタイムスロットで動作し、前記第１の部分と前記第２の部分とは異なる、ロングタームエボリューション（ＬＴＥ）ネットワークである、方法。
【請求項１４】
請求項１から１３のいずれか一項に記載の方法であって、さらに、
・  無線リソース制御、ＲＲＣ、シグナリングを介して前記複数の論理チャネルの前記第１の部分における一つまたは複数の論理チャネル（ＬＣＨａ）のリストを事前構成すること、を有する方法。
【請求項１５】
無線ネットワークにおける通信デバイス（１）であって、
・  第１の期間の第１のタイムスロット（ＴＳ１）において、複数の論理チャネルについてバッファステータスレポート、ＢＳＲ、を送信することを有する第１の送信を実行するための第１のコンポーネント（７０１）と、
・  第２の期間の第２のタイムスロット（ＴＳ２）において、前記複数の論理チャネルの少なくとも第１の部分について、スケジューリング要求、ＳＲ、を送信することを有する第２の送信を実行するための第２のコンポーネント（７０２）と、を有し、
・前記複数の論理チャネルの前記第１の部分における一つまたは複数の論理チャネル（ＬＣＨａ）は、前記複数の論理チャネルの他の論理チャネル（ＬＣＨｂ）よりも高い優先度を有する、通信デバイス。
【請求項１６】
請求項１５に記載の通信デバイスであって、さらに、
・  第１のＢＳＲまたは第２のＢＳＲを送信するためのスロット期間を有するアップリンクグラントメッセージを受信するための第３のコンポーネント（７０３）と、
・  第４のコンポーネント（７０４）であって、
・  前記第１のＢＳＲを送信するための前記アップリンクグラントメッセージを受信したことに応答して、必要となるスロット期間が前記アップリンクグラントメッセージに含まれるスロット期間と一致する場合、一つまたは複数の論理チャネルの優先度に基づいて前記ＢＳＲを送信するように前記第１のコンポーネントに要求することと、
・  前記第２のＢＳＲを送信するための前記アップリンクグラントメッセージを受信したことに応答して、必要となるスロット期間が前記アップリンクグラントメッセージに含まれる前記スロット期間と一致する場合、前記一つまたは複数の論理チャネルの少なくとも前記第１の部分についての優先度に基づいて前記ＳＲを送信するように前記第２のコンポーネントに要求することと、を実行するように構成された第４のコンポーネント（７０４）と、を有する通信デバイス。
【請求項１７】
請求項１６に記載の通信デバイスであって、さらに、
・  前記第２の送信が終了した後に、前記一つまたは複数の論理チャネルのための任意のさらなるＢＳＲまたはＳＲの送信が禁止される期間をタイマーに設定するための第５のコンポーネント（７０５）、を有する通信デバイス。
【請求項１８】
請求項１５に記載の通信デバイスであって、前記無線ネットワークは、前記通信デバイスが、バンドの第１の部分における前記第１の期間のタイムスロットにおいて動作するとともに、前記バンドの第２の部分における前記第２の期間のタイムスロットにおいて動作し、前記第１の部分と前記第２の部分とは異なるものである、新無線ネットワークである、通信デバイス。
【請求項１９】
請求項１５に記載の通信デバイスであって、前記無線ネットワークは、前記通信デバイスが、バンドの第１の部分における前記第１の期間のタイムスロットにおいて動作するとともに、前記バンドの第２の部分における前記第２の期間のタイムスロットにおいても動作し、前記第１の部分と前記第２の部分とは異なるものである、ロングタームエボリューション（ＬＴＥ）ネットワークである、通信デバイス。
【請求項２０】
請求項１５に記載の通信デバイスであって、さらに、
・  無線リソース制御、ＲＲＣ、シグナリングを介して前記複数の論理チャネルの前記第１の部分における一つまたは複数の論理チャネル（ＬＣＨａ）のリストを事前構成するための第６のコンポーネント（７０６）を有する、通信デバイス。
【請求項２１】
無線ネットワークにおいて動作可能な通信デバイス（１）であって、
・  データおよび命令を記憶するように適合した記憶装置と、
・  請求項１から１４のいずれか一項に記載の方法を実行するように適合したプロセッシングシステムと、
・  前記無線ネットワークにおける他のエンティティとデータを通信するように適合したネットワークインターフェースと、
・  少なくとも前記記憶装置、前記プロセッシングシステム、および前記ネットワークインターフェースの間の通信を容易にするように適合した通信媒体と、を有する通信デバイス。
【請求項２２】
少なくとも一つのプロセッサ上で実行されると、前記少なくとも一つのプロセッサに請求項１から１４のいずれか一項に記載の方法を実行させる命令を有する、コンピュータプログラム。
【手続補正２】
【補正対象書類名】図面
【補正対象項目名】全図
【補正方法】変更
【補正の内容】
【図１】
2020519058.tif 000011
【図２】
2020519058.tif 000012
【図３】
2020519058.tif 000013
【図４】
2020519058.tif 000014
【図５】
2020519058.tif 000015
【図６】
2020519058.tif 000016
【図７】
2020519058.tif 000017
【図８】
2020519058.tif 000018
【国際調査報告】
2020519058.tif 000019
2020519058.tif 000020